(57)【要約】【課題】  認証機能が有効であるかどうかに応じて、電力供給モードを省エネモードから通常モードへの復帰させるように制御できる。【解決手段】    電源手段から複数のユニットに電源を供給する情報処理装置において、所定の認証情報記録媒体に記録された認証情報による認証機能が有効であるかどうかを判断し、当該認証機能が有効であると判断した場合、ユーザ認証が成功するまで、第２の電力モードから第１の電力モードへ復帰させないように電源手段を制御し、認証機能が有効でないと判断した場合、前記第２の電力モードから前記第１の電力モードへ復帰させるように前記電源手段を制御する構成を特徴とする。【選択図】  図５
2017152763.tif 000002
【特許請求の範囲】
【請求項１】
電源手段から複数のユニットに電源を供給する情報処理装置であって、
電力モードが第１の電力モードである場合に前記複数のユニットの全てに電源を供給し、前記電力モードが前記第１の電力モードよりも低電力状態とする第２の電力モードである場合に前記複数のユニットの一部に電源を供給するように前記電源手段からの電力供給状態を制御する電源制御手段と、
所定の認証情報記録媒体の情報を読み取る読取手段と、
前記読取手段が読み取る前記所定の認証情報記録媒体の情報が登録されたユーザ情報と一致するかに基づいてユーザを認証する認証手段と、
前記所定の認証情報記録媒体に記録された認証情報による認証機能が有効であるかどうかを判断する判断手段と、を備え、
前記認証機能が有効であると判断した場合、前記電源制御手段は、前記認証手段によるユーザ認証が成功するまで、前記第２の電力モードから前記第１の電力モードへ復帰させないように前記電源手段を制御し、
前記認証機能が有効でないと判断した場合、前記電源制御手段は、前記第２の電力モードから前記第１の電力モードへ復帰させるように前記電源手段を制御することを特徴とする情報処理装置。
【請求項２】
前記第２の電力モードから前記第１の電力モードへ復帰させる要因を検出する検出手段と、を備え、
前記認証機能が有効であると判断した場合、前記電源制御手段は、前記検出手段が検出する要因が、前記読取手段が前記所定の認証情報記録媒体を読み取ることでない場合、前記認証手段によるユーザ認証が成功するまで、前記第２の電力モードから前記第１の電力モードへ復帰させないように前記電源手段を制御することを特徴とする請求項１に記載の情報処理装置。
【請求項３】
原稿読取手段が読み取る原稿、または手差しされるシートを検知する検知手段と、
前記検知手段が検知する情報を前記第２の電力モードに移行してから前記第１の電力モードへ復帰させる要因として保持する保持手段と、を備え、
を備えることを特徴とする請求項１または２に記載の情報処理装置。
【請求項４】
前記認証手段、前記電源制御手段は、いずれか１つのユニットに含まれることを特徴とする請求項１に記載の情報処理装置。
【請求項５】
所定の操作要求を受け付ける操作手段と、印刷処理を行う印刷手段と、原稿を読み取る原稿読取手段と、前記カード読取手段とは、前記複数のユニットに含まれることを特徴とする請求項１に記載の情報処理装置。
【請求項６】
前記検知手段は、前記保持手段を備えることを特徴とする請求項２に記載の情報処理装置。
【請求項７】
電源手段から複数のユニットに電源を供給する情報処理装置の電源制御方法であって、
電力モードが第１の電力モードである場合に前記複数のユニットの全てに電源を供給し、前記電力モードが前記第１の電力モードよりも低電力状態とする第２の電力モードである場合に前記複数のユニットの一部に電源を供給するように前記電源手段からの電力供給状態を制御する電源制御工程と、
読取手段で所定の認証情報記録媒体の情報を読み取る読取工程と、
前記読取手段が読み取る前記所定の認証情報記録媒体の情報が登録されたユーザ情報と一致するかに基づいてユーザを認証する認証工程と、
前記所定の認証情報記録媒体に記録された認証情報による認証機能が有効であるかどうかを判断する判断工程と、
前記認証機能が有効であると判断した場合、前記電源制御工程は、前記認証工程によるユーザ認証が成功するまで、前記第２の電力モードから前記第１の電力モードへ復帰させないように前記電源手段を制御し、
前記認証機能が有効でないと判断した場合、前記電源制御工程は、前記第２の電力モードから前記第１の電力モードへ復帰させるように前記電源手段を制御することを特徴とする情報処理装置の電源制御方法。
【請求項８】
請求項７に記載の情報処理装置の電源制御方法をコンピュータに実行させることを特徴とするプログラム。
【請求項９】
電源手段から複数のユニットに電源を供給する情報処理装置であって、
電力モードが第１の電力モードである場合に前記複数のユニットの全てに電源を供給し、前記電力モードが前記第１の電力モードよりも低電力状態とする第２の電力モードである場合に前記複数のユニットの一部に電源を供給するように前記電源手段からの電力供給状態を制御する電源制御手段と、
所定の認証情報記録媒体の情報を読み取る読取手段と、
前記読取手段が読み取る前記所定の認証情報記録媒体の情報が登録されたユーザ情報と一致するかに基づいてユーザを認証する認証手段と、
前記所定の認証情報記録媒体に記録された認証情報による認証機能が有効であるかどうかを判断する判断手段と、
前記認証機能が有効であると判断した場合、前記電源制御手段が前記第２の電力モードから前記第１の電力モードへ復帰させることなく、前記認証手段によるユーザ認証を要求する画面を表示手段に表示する表示制御手段と、
を備えることを特徴とする情報処理装置。
【発明の詳細な説明】
【技術分野】
【０００１】
本発明は、情報処理装置、情報処理装置の電源制御方法、及びプログラムに関するものである。
【背景技術】
【０００２】
従来、情報処理装置である画像形成装置においては、ユーザの識別情報を格納するＩＤカードによる認証を行い、正しく認証されたユーザが画像形成装置を使用可能にすることが行われている。これにより、装置の管理ができ、またオフィスにおけるセキュリティが向上する。
【０００３】
一方で、省エネルギーを実現するために、画像形成装置内部の一部分への電力供給を切断する省エネモード（省電力モード、スリープモードなど）がサポートされている。そして、省エネモード下において、ユーザ認証を行った上で省エネモードから通常モードに復帰させることが行われている。
【０００４】
特許文献１には、認証装置を備えた画像形成装置が開示されている。この画像形成装置では、省エネモード下において、ユーザ認証が成功した場合には、画像形成装置が省エネモードから通常モードに復帰する。また、ユーザ認証が失敗した場合には、画像形成装置を省エネモードのまま維持する方法が開示されている（特許文献１）。
【０００５】
一方、近年の画像形成装置においては、画像形成装置を省エネモードから通常モードに復帰させる複数の起動要因がある。例えば、コピー動作を実行する際に原稿を読取部に自動的に送る原稿送り装置が、原稿を検知したことに従って、画像形成装置は省エネモードから通常モードに復帰する。また、ユーザが出力用紙を変更してプリント動作を実行するために、希望する出力用紙を送るための手差し用紙トレイにシートを載置する操作を行うことにより、出力用紙のセットを検知することに従って、画像形成装置は省エネモードから通常モードに復帰する。
【先行技術文献】
【特許文献】
【０００６】
【特許文献１】特開２０１０−１２８０９０号公報
【発明の概要】
【発明が解決しようとする課題】
【０００７】
しかしながら、スマート節電では、復帰要因に応じて、必要な箇所に電力を供給することによって、省エネモードから通常モードに復帰するが、この状況において、ユーザ認証はまだ行われていないため、画像形成装置は使用することができない。このため、画像形成装置が省エネモードから通常モードに復帰したにも関わらず、ユーザ認証に失敗するケースでは、余計な電力を消費してしまうことが課題である。
【０００８】
そこで、本発明は、画像形成装置の省エネモードから通常モードへの復帰において、いろいろな起動要因が発生する場合であっても、ユーザ認証を成功させてから、画像形成装置を起動させることを目的とする。
【０００９】
本発明は、上記の課題を解決するためになされたもので、本発明の目的は、認証機能が有効であるかどうかに応じて、電力供給モードを省エネモードから通常モードへの復帰させるように制御できる仕組みを提供することである。
【課題を解決するための手段】
【００１０】
上記目的を達成する本発明の情報処理装置は以下に示す構成を備える。
電源手段から複数のユニットに電源を供給する情報処理装置であって、電力モードが第１の電力モードである場合に前記複数のユニットの全てに電源を供給し、前記電力モードが前記第１の電力モードよりも低電力状態とする第２の電力モードである場合に前記複数のユニットの一部に電源を供給するように前記電源手段からの電力供給状態を制御する電源制御手段と、所定の認証情報記録媒体の情報を読み取る読取手段と、前記読取手段が読み取る前記所定の認証情報記録媒体の情報が登録されたユーザ情報と一致するかに基づいてユーザを認証する認証手段と、前記所定の認証情報記録媒体に記録された認証情報による認証機能が有効であるかどうかを判断する判断手段と、を備え、前記認証機能が有効であると判断した場合、前記電源制御手段は、前記認証手段によるユーザ認証が成功するまで、前記第２の電力モードから前記第１の電力モードへ復帰させないように前記電源手段を制御し、前記認証機能が有効でないと判断した場合、前記電源制御手段は、前記第２の電力モードから前記第１の電力モードへ復帰させるように前記電源手段を制御することを特徴とする。
【発明の効果】
【００１１】
本発明によれば、認証機能が有効であるかどうかに応じて、電力供給モードを省エネモードから通常モードへの復帰させるように制御できる。
【図面の簡単な説明】
【００１２】
【図１】情報処理装置の構成を説明するブロック図である。
【図２】制御部のハードウエア構成の一例を示すブロック図である。
【図３】カードリーダ部のハードウエア構成を示すブロック図である。
【図４】ＩＤカードのハードウエア構成を示すブロック図である。
【図５】情報処理装置の電源制御方法を説明するフローチャートである。
【図６】検知部のハードウエア構成を示したブロック図である。
【図７】操作部に表示されるＵＩ画面を示す図である。
【図８】操作部に表示されるＵＩ画面を示す図である。
【発明を実施するための形態】
【００１３】
次に本発明を実施するための最良の形態について図面を参照して説明する。
＜システム構成の説明＞
〔第１実施形態〕
＜画像形成装置のハードウエア構成＞
【００１４】
図１は、本発明の第１実施形態を示す情報処理装置の構成を説明するブロック図である。本例は、情報処理装置である画像形成装置１０１の内部のハードウエア構成の一例を示す。本情報処理装置は、以下に示す複数のユニットから構成されている。なお、本実施形態では、後述するユーザ認証処理例として、カードに記録されたユーザ情報を読み取る場合を説明するがユーザ認証はカード認証以外の認証処理であっても、本発明を適用可能である。また、カード認証以外の認証処理については後述する。
図１において、不図示の電源プラグは、商用交流電源のコンセントに差し込むものであり、電源部１０２に交流電源を供給する。電源部１０２は装置内の各ユニットに電力を供給するものである。電源部１０２は、商用交流電源から得た交流電力の電圧を各ユニットに適した電圧に変換し、電力供給先のユニットによっては必要に応じて交流から直流に変換する。制御部１０３は画像形成装置内の各ユニットの制御を実行したり、電子データの加工や転送に関する制御を行ったりするユニットである。
【００１５】
画像形成装置１０１は、画像形成装置１０１を構成する各ユニットに電力を供給する通常の動作モードを備える。また、一部のユニットに対して電力を供給しないことで消費電力を低減する省エネモード（省電力モードや、スリープモードなどとも言う）がある。
【００１６】
本実施形態の画像形成装置１０１は、省エネモードでは消費電力を低減させるために、原稿読取手段である原稿読取部１０４、排紙部１０８、印刷手段であるプリンタ部１０９、給紙部１１０の電力を切断する。また、ユニットの１つであるコントローラ（制御部）１０３と、所定の操作要求を受け付ける操作部１０６については一部に対してのみ電力を供給し、他の部分の電力を切断する。省エネモードにおいて、制御部１０３内で電力が供給される箇所は、省エネモードから通常モードへ復帰するトリガを検知する回路の検知部１０５である。トリガはカード読取手段であるカードリーダ部１０７に接続されているＩＤカードの挿入の検出、ＦＡＸ受信の検出、ネットワークを経由して受信した印刷ジョブの検出、操作部１０６のボタン操作の検出などである。
＜制御部のハードウエア構成＞
図２において、ＣＰＵ２０２は制御部１０３における処理を実行する。ＣＰＵ２０２はメモリ２０５にロードされたプログラムを実行する。
内部バス２１２はＣＰＵ２０２が制御部１０３内の各ブロックと通信するためのバスである。
【００１７】
記憶部２１０は、ＣＰＵ２０２が実行するプログラム（ＯＳやアプリケーションプログラムなど）が格納されている。また、記憶部２１０は、ジョブデータや画像データを格納する。ジョブデータとは、例えば、不図示のクライアントＰＣからＬＡＮ Ｉ／Ｆ２０８を介して受信する印刷処理のためのＰＤＬデータなど、画像形成装置１０１が機能を実行するためのデータのことを指す。
リーダＩ／Ｆ２０６は原稿読取部１０４と通信してコマンド／ステータスや画像データを授受するためのＩ／Ｆである。プリンタＩ／Ｆ２１１はプリンタ部１０９と通信してコマンド／ステータスや画像データを授受するＩ／Ｆである。
【００１８】
ＦＡＸ Ｉ／Ｆ２０９は公衆電話回線に接続され、ＦＡＸ画像の通信を行うＩ／Ｆである。ＬＡＮ Ｉ／Ｆ２０８はＥｔｈｅｒｎｅｔ（登録商標）などのネットワークに接続され、ジョブデータやコマンド／ステータスの授受を行う。
【００１９】
カードリーダＩ／Ｆ２０４はカードリーダ部１０７との通信を行うＩ／Ｆであり、カードリーダ部１０７で読み取った、カードの検知およびカードデータの受信とカードへ書き込むデータの送信を行う。検知部Ｉ／Ｆ２０３は検知部１０５との通信を行うＩ／Ｆであり、電源の起動要因（電源を第１の電力モードへ復帰させる要因）を検知し、検知した情報の受信を行う。操作部Ｉ／Ｆ２０７は操作部１０６との通信を行うＩ／Ｆであり、操作部１０６の表示部に表示するデータの送信と、ボタンやタッチパネルなどのユーザからの入力情報の受信を行う。なお、手差し用紙トレイにシートを載置する操作を行うことにより、出力用紙のセットを検知することに従って、画像形成装置は省エネモードから通常モードに復帰する要因も上記復帰させる要因に含まれる。
【００２０】
電源制御部２０１は画像形成装置１０１の通常モードと省エネモードとの移行を制御するブロックである。具体的には、電力モードが第１の電力モードである場合に複数のユニットの全てに電源を供給する。また、電力モードが前記第１の電力モードよりも低電力状態とする第２の電力モードである場合に前記複数のユニットの一部に電源を供給するように電源部１０２からの電力供給状態を制御する。
ＣＰＵ２０２からのコマンドによって通常モードから省エネモードに移行するよう電源制御信号線を介して電源部１０２に伝達される電源制御信号を送信或いは変化させる。
また、省エネモード下では検知部Ｉ／Ｆ２０３から起動信号線を介して伝達される起動信号を監視する。例えば、省エネモード時にユーザがコピー動作を実行しようとしている時に、コピー原稿を原稿トレイに置く。原稿トレイは原稿を検知し、検知信号が変化することにより、起動のトリガとなる。この変化があった場合に省エネモードから通常モードに復帰するよう電源制御信号を送信或いは変化させる。電源部１０２は、電源制御信号に応じて画像形成装置１０１を構成するユニットへの電力を供給／停止する。
【００２１】
＜カードリーダ部のハードウエア構成＞
【００２２】
図３において、制御部３０４は画像形成装置１０１の制御部１０３のＣＰＵ２０２の制御に基づき、送信部３０３、受信部３０５、アンテナ３０２を制御し、制御部１０３とのデータの送受信を行う。送信部３０３は送信データをアンテナ３０２に適した信号に変換する。受信部３０５はアンテナ３０２が出力した信号を受信データに変換する。アンテナ３０２は送信部から入力された信号を電磁波に変換する。また、カード３０１が電池を内蔵していない非接触型カードの場合、アンテナ３０２はカード３０１への電力を供給するための磁界を発生する役割もある。またアンテナ３０２はカード３０１が出力した電磁波を信号に変換し、受信部３０５に出力する。
【００２３】
本実施形態のカードリーダ部１０７は、非接触式のＩＣカードを読み取るカードリーダとするが、接触式のＩＣカードを読み取るカードリーダや、磁気記録式のカードリーダなどでもよい。
【００２４】
＜ＩＤカード部のハードウエア構成＞
図４において、ＣＰＵ４０１はカードの内部の制御およびカードリーダ部１０７との通信を行う。カードリーダ部１０７からデータを受信する場合は、ＣＰＵ４０１の制御によって、コマンドの解析および受信データのメモリ４０５への格納を行う。カードリーダ部１０７へデータを送信する場合は、ＣＰＵ４０１の制御によって、受信したコマンドの内容に応じてメモリ４０５に格納されているデータを送信部４０２に転送を行う。メモリ４０５は書き換え可能な不揮発性メモリであり、ＣＰＵ４０１のプログラムコードとユーザ情報やカード情報などが格納されている。
【００２５】
送信部４０２は送信データをアンテナ４０４に適した信号に変換する。アンテナ４０４は送信部から入力された信号を電磁波に変換する。またアンテナ４０４はカードリーダ部１０７が送信した電磁波を受信し、受信部４０３でアンテナ４０４が出力した信号を受信データに変換する。
【００２６】
本実施形態ではカード３０１が電池を内蔵していない非接触型カードであり、発電部４０６においてカード３０１で使用する電力を発電するものとする。カードリーダ部１０７で発生した磁界はアンテナ４０４で再び電気エネルギーに変換され、発電部４０６で直流定電圧に変換する。
【００２７】
＜検知部のハードウエア構成＞
図６は、図１に示した検知部１０５のハードウエア構成を示したブロック図である。ここでは、ユーザがコピー動作を実行しようとしている時に、コピー原稿を原稿トレイに置いた時の検知部１０５による検知方法について説明する。
【００２８】
図６において、コピー原稿を原稿トレイに置くと、検知センサ６０１は、コピー原稿を検知することにより、その検知信号を受信部６０２へ伝える。受信部６０２は検知信号を受信すると、制御部６０３へ通知する。検知部１０５の制御部６０３は受信部６０２から検知信号を受け取ると、検知信号の受信情報をメモリ６０４に保持させる。そして、検知信号の受信情報を制御部１０３のＣＰＵ２０２へ送信する。その後、ＣＰＵは検知情報をもとに、電源の制御を行う。なお、メモリ６０４は、検知センサ６０１が第２の電力モードに移行してから前記第１の電力モードへ復帰させる異なる要因を１つ以上検出した場合、復帰させる要因を１つ以上保持することが可能である。
【００２９】
＜省エネモード制御方法＞
図５は、本実施形態を示す情報処理装置の電源制御方法を説明するフローチャートである。以下、情報処理装置である画像形成装置１０１において、省エネモードから復帰する処理の一例を説明する、なお、各ステップは、画像形成装置１０１の制御部１０３が備えるＣＰＵ２０２が制御プログラムを実行することで実現される。
【００３０】
なお、画像形成装置１０１が通常モードで稼働している時に本フローチャートは実行を開始する。
画像形成装置１０１は、省エネモードへ移行する要因があるか否かを判断し、省エネモードへの移行要因がある場合、Ｓ５０１へ進み、操作部１０６に対して、省エネモードへの移行通知を送信する。
そして、制御部１０３のＣＰＵ２０２は電源制御部２０１に省エネモード移行命令を発行する。電源制御部２０１への省エネモード移行命令に基づいて、電源制御部２０１は電源制御線を介して、電源部１０２に対して電源制御信号を送信する。電源部１０２は、電源制御部２０１から受信した電源制御信号に基づいて、画像形成装置１０１の一部のユニットへの電力供給を停止する。これにより、画像形成装置１０１は省エネモードに移行する。
【００３１】
なお、本実施形態の省エネモード時において、電源部１０２は、画像形成装置１０１の操作部１０６とカードリーダ部１０７、検知部１０５に電力を供給する。その際、操作部１０６の電源復帰ボタン等の一部に電力が供給され、操作部１０６の画面は、何も映らない状態となる。
また、制御部１０３において、操作部Ｉ／Ｆ２０７の一部、ＬＡＮＩ／Ｆ２０８の一部、ＦＡＸＩ／Ｆ２０９の一部には電力が供給されるがそれ以外の部分について電力供給は停止される。
さらに、本実施形態の省エネモード時において、電源部１０２から原稿読取部１０４、排紙部１０８、プリンタ部１０９、給紙部１１０への電力供給は停止される。なお、省エネモードは、通常モードよりも電力消費量が少ない状態であればよく、どのユニットに対して電力を供給し、どのユニットに対しては電力供給を停止するのかについては本実施形態と異なるものでもよい。
【００３２】
＜カード認証を伴う電源制御＞
以下に、図５のフローチャートを用いて、省エネモードからのカード認証制御を伴う電源制御例について、省電力状態から通常の電力状態に復帰させる要因がカード認証以外によるものと、カード認証によるものとを分けて説明する。
Ｓ５０１において、画像形成装置１０１は上述したように省エネモードに移行する。そして、Ｓ５０２において、画像形成装置１０１が、カードリーダ部１０７を備えているかどうかの判断を行う。この判断は、カード認証機能が有効であるかを判断することと同意である。ここで、カードリーダ部１０７が有効であると判断した場合、Ｓ５０３へ、無効であると判断した場合、Ｓ５０９へ移る。
【００３３】
Ｓ５０３において、画像形成装置１０１は省エネモードを継続している。そして、省エネモードからの復帰要因があるかどうかの判断を行う。例えば、ユーザがコピー動作を所望しており、原稿をドキュメントフィーダに置く。この場合、ドキュメントフィーダの検知部１０５の検知センサ６０１が原稿の検知を行い、原稿ありと判断し、原稿検知信号を生成する。この信号を受信部６０２が受け取り、電源の復帰要因ありと判断し、その検知信号を制御部６０３へ伝える。この際、ユーザがカードリーダ部１０７にカードを近づけた場合も電源の復帰要因ありと判断する。この復帰要因があるかどうかは、原稿をドキュメントフィーダに置いてからユーザがカードリーダ部１０７にカードを近づける場合（ケース１）と、原稿をドキュメントフィーダに置く等の操作を行うことなく、ユーザがカードリーダ部１０７にカードを近づける場合（ケース２）とある。
【００３４】
（ケース１の電力制御）
そして、検知部１０５の制御部６０３は、Ｓ５０４において、復帰要因がカード認証によるものかどうかの判断を行う。復帰要因が、カード認証以外のものであると判断した場合、Ｓ５０５へ、復帰要因が、カード認証によるものであると判断した場合、省電力状態を通常の電力状態に復帰させるためＳ５０７へ移る（ケース２）。
【００３５】
一方、Ｓ５０４で復帰要因がカード認証以外であると判断した場合（ケース１）は、Ｓ５０５へ処理を移し、制御部６０３は、画像形成装置１０１の復帰要因となる、検知部１０５の検知センサ６０１で生成した原稿検知信号をメモリ６０４に保存し、制御部１０３のＣＰＵ２０２に伝える。
そして、画像形成装置１０１は省エネモードを維持して、Ｓ５０６において、制御部１０３のＣＰＵ２０２は操作部Ｉ／Ｆ２０７を介する表示制御により、操作部１０６に生成されるカード認証画面（図７）を表示する。この時、画像形成装置１０１は、カード認証の待ち状態となる。そして、ユーザ認証が成功するまで画像形成装置１０１は省エネモードが維持され、当該ユーザのカード認証の結果、成功しない間は電力供給が制限されるため、無駄な電力消費を節減できる。
【００３６】
Ｓ５０７において、ユーザが画像形成装置１０１のカードリーダ部１０７にカード３０１を近づける。すると、カードリーダ部１０７の受信部３０５において、ユーザを認証するための所定のカード３０１の情報を読み取り、画像形成装置１０１の制御部１０３において、読み取ったカード情報を記憶部２１０に保存されているカード認証データ（ユーザ識別情報）と比較を行う。ここで、制御部１０３は、比較結果が一致したら認証成功と判断し、Ｓ５０８へ進む。
画像形成装置１０１の制御部１０３のＣＰＵ２０２は、Ｓ５０４で制御部６０３が検知部１０５のメモリ６０４に保存されている電源復帰要因を読み出し、Ｓ５０８で画像形成装置１０１の起動を実行する。その際、制御部１０３のＣＰＵ２０２は操作部１０６に機能選択画面の表示（図８）を行う。なお、Ｓ５０８における画像形成装置１０１の起動とは、画像形成装置１０１が所定のジョブを開始できるように各ユニットに電源を供給し、画像形成可能なスタンバイ状態に遷移させることである。
ケース１によれば、画像形成装置１０１が省エネモード状態で、カード読取以外の復帰要因が発生した場合、カード認証を優先させて認証が成功するまで、画像形成装置１０１をスリープ状態からスタンバイ状態に移行させずに省電力状態を維持させることができる。
【００３７】
（ケース２の電力制御）
以下、画像形成装置１０１が省エネモード状態で、ケース１が発生することなく、カードを読み取る要因が発生した場合（ケース２）、具体的には、ユーザが原稿等を載置する等の操作を行うことなく、カードをカードリーダ部１０７に近づけた場合である。以下、ケース２の電力制御方法を説明する。
なお、Ｓ５０１、およびＳ５０２において、画像形成装置１０１は省エネモードに移行しており、次のＳ５０３において、検知部１０５が省エネモードからの復帰要因があるかどうかの判断を行う。ここで、ユーザが原稿を原稿台に載置する等の操作を行わないため、当該操作に基づく復帰要因がないと検知部１０５が判断する場合で、かつ、画像形成装置１０１を操作するためにログインするために、ユーザがカードをカードリーダ部１０７に近づける操作を行う場合（ケース２）である。
この場合、ユーザは画像形成装置１０１のカードリーダ部１０７にカード３０１を近づけるため、Ｓ５０４での判断がＹＥＳとなり、処理がＳ５０７へ進む。そして、Ｓ５０７で、カードリーダ部１０７の受信部３０５がカードの情報を読み取り、画像形成装置１０１の制御部１０３において、カードの認識を行う。
【００３８】
具体的には、画像形成装置１０１の制御部１０３において、読み取ったカード情報を記憶部２０１に保存されているカード認証データと比較を行う。比較結果が一致したら認証成功と制御部１０３が判断し、Ｓ５０８へ進む。
そして、画像形成装置１０１の制御部１０３のＣＰＵ２０２は、Ｓ５０７で画像形成装置１０１の各ユニットへ電力供給を開始するように起動する。そして、制御部１０３のＣＰＵ２０２は、画像形成装置１０１がスタンバイ状態となるまで、操作部１０６に電源を供給し、ジョブ処理を受け付ける機能選択画面を表示して、他のユニットが正常に動作できる状態（スタンバイ状態）となるまで待つ。
この後、Ｓ５１１へ移行し、そこで、画像形成装置１０１がスタンバイ状態かの判断を行い、スタンバイ状態であれば、次のＳ５１１へ移行し、ジョブ処理を行い終了となる。
このようにケース２は、画像形成装置１０１が省エネモード状態から、カード認証以外に他の復帰要因がない場合に、カード認証により、画像形成装置１０１をスリープモードから通常モード（スタンバイ状態）への電力復帰を行う処理例である。
【００３９】
（ケース３の電力制御）
以下、カード認証を行わない場合（ケース３）について動作を説明する。
Ｓ５０２において、画像形成装置１０１が、カードリーダ部１０７を備えているかどうかの判断を行う。画像形成装置１０１の電源スイッチをＯＮし、画像形成装置１０１に電源が投入されると、制御部１０３のＣＰＵ２０２は、接続されている各々のＩ／Ｆの状態の確認を行う。カードリーダ部１０７が画像形成装置１０１に接続されているかどうかを確認するために、制御部１０３のＣＰＵ２０２は、検知部１０５の制御部６０３にカードリーダの検知状態を確認する。カードリーダ部１０７が設置されていないと判断した場合、検知部１０５の制御部６０３にカードリーダのポートの状態はＬレベルとなっている。
そのため、制御部１０３のＣＰＵ２０２は、カードリーダ部１０７の検知ポートの状態をＬレベルと認識し、カードリーダ部１０７を備えていないと判断する。このとき、処理はＳ５０２からＳ５０９に移る。
【００４０】
そして、画像形成装置１０１は、制御部１０３は、上述したように復帰要因があるかどうかの判断を行う。ここで、検知センサ６０１の出力に基づいて、原稿を原稿台に載置する等の復帰要因があると制御部１０３が判断した場合、Ｓ５１０へ移行し、画像形成装置１０１の起動が可能となる。
以上により、カード認証を行わない場合も、電源復帰要因に応じて、画像形成装置１０１を画像形成可能なスタンバイ状態に遷移させる制御を行う。
本実施形態によれば、電力供給モードを省エネモードから通常モードへの復帰させる要因がすでに発生していても、ユーザ認証を成功させるまでは電力モードを通常モードへ復帰させないように制御できる。
【００４１】
なお、上記実施形態では、ユーザを認証する手段として、所定のカードを用いる場合について説明した。しかし、認証情報記録媒体は、カード媒体に限らず、ユーザが携帯する通信手段、例えばスマートフォン、パッドデバイスで構成されている場合でも本発明を適用可能である。認証情報は、ユーザの顔画像や、網膜、静脈等の生体情報等が含まれる。
また、人体が本体に近接する際に体温（熱源）を検出してユーザ認証を開始する構成を備えている場合でも本発明を適用可能である。
【００４２】
本発明は、上述の実施形態の１以上の機能を実現するプログラムを、ネットワーク又は記憶媒体を介してシステムまたは装置に供給し、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００４３】
１０１  画像形成装置
１０２  電源部
１０３  制御部
１０５  検知部
１０７  カードリーダ部
２０１  電源制御部
【図１】
2017152763.tif 000003
【図２】
2017152763.tif 000004
【図３】
2017152763.tif 000005
【図４】
2017152763.tif 000006
【図５】
2017152763.tif 000007
【図６】
2017152763.tif 000008
【図７】
2017152763.tif 000009
【図８】
2017152763.tif 000010